Podtech/llm-jp-corpus-v4-ja_patent huggingface dataset:
(57)【要約】      （修正有）【課題】暑い場所でも清涼感のある顔面保護具を提供する。【解決手段】首掛け式送風機１のファン部７に保護板保持部３を設け、面ファスナーを介して透明で湾曲性のある保護板２を設け、保護板の下中央部に半円形状の開口部（空気吸込み口８）を設け、ファンの電源として充電池を設ける。【選択図】図１
0003230479.tif 000002
【実用新案登録請求の範囲】
【請求項１】
本体が首に掛けるため湾曲した形で構成され、該本体の両端に内側から空気を吸い込む方向にファンが設けられ、該ファンの上側に保護板保持部が設けられ、該保護板保持部には面ファスナーを介して透明な保護板がそれぞれ固定され、該保護板は装着者の額より上の位置まで顔面を覆い、該保護板の下側は装着者の首の下側まで覆い、該保護板の下側中央部に半円形の開口部が設けられ、該保護板は横方向に対して曲面状に設けられ、前記本体上部に空気吹出し口が設けられ、前記ファンのよって吸い込んだ空気が該空気吹き出し口から吹き出され、前記ファンの電源が充電池で構成され、該充電池が本体内部に設けられ、該充電池が本体外部のＵＳＢ充電器からＵＳＢケーブルを接続して充電する構成になっている送風機能付き顔面保護具。
【考案の詳細な説明】
【技術分野】
【０００１】  本考案は、充電池とファンを設けた送風機能付きの顔面保護具に関するものである。
【背景技術】
【０００２】  従来、顔面を飛沫から保護する目的で顔面保護具が使用されて来た。
【先行技術文献】
【特許文献】
【０００３】
【特許文献１】特開２００５−２８７５６１号  公報
【考案の概要】
【考案が解決しようとする課題】
【０００４】  従来、顔面保護具は外部の空気と保護板で遮断されてしまうため、装着者の呼気により顔周辺には熱い空気と湿度が充満して不快になり、また保護板が白く曇り、前方の視認性が悪化していた。通常屋内で空調の整った場所であればあまり問題は無いが、屋外で使用する場合、温度が高い時期には保護板内部の温度、湿度が上がり問題となる。
【課題を解決するための手段】
【０００５】  本考案はこのような問題を解決するため、保護板下部に吸入口を設けることにより、保護板内の上昇気流による換気を促し、さらに首掛け式のファンを設け空気を保護具の内部へ送風する。また、ファンは充電池で動作する構成とする。
【考案の効果】
【０００６】  上述の様に、本考案の送風機能付き顔面保護具は、保護板下部に吸入口とファンを設ける事によって暑い時期でも装着者が不快にならず使用でき、しかもファンの電源に充電池を使用しており、繰り返し充電して使用出来る。
【図面の簡単な説明】
【０００７】
【図１】本考案の第一の実施形態の構成図である。
【図２】本考案の第一の実施形態の電気接続ブロック図である。
【考案を実施するための形態】
【０００８】  首掛け式送風機のファン部に保護板保持部を設け、該保護板保持部に面ファスナーを介して透明な顔面保護板を設ける。また、ファンの電源として充電池を送風機内部に設け、外部のＵＳＢ充電器からＵＳＢケーブルを介して充電する事ができる構成とする。
【０００９】  この考案にかかる好適な第一の実施形態を図面に基づいて説明する。図１において、この考案にかかる顔面保護具の実施形態の構成図を示すと首掛け式送風機１、保護板２、保護板保持部３、面ファスナー４を有する。
【００１０】  装着者の首に掛けるため本体が湾曲した形で構成された首掛け式送風機１の両端に設けられたファン７の上側に前記保護板保持部３が設けられ、該保護板保持部３に前記面ファスナー４が設けられている。該保護板保持部３は左右の前記ファン７にそれぞれ設けられている。
【００１１】  一方、前記面ファスナー４の裏面には保護板２の左右が結合されている。つまり、該保護板２は該面ファスナー４を介して前記保護板保持部３に結合されている。該保護板２は透明で湾曲性のある材料で構成され、横方向に顔面に沿って湾曲して設けられている。また、該保護板２は装着者の額より上まで設けられ、下側は装着者の首の下部まで覆い前方からの飛沫が顔面にかかるのを防止する機能がある。更に該保護板２の下中央部は半円形状の開口部が設けられ、該保護板２内部へ空気を取り込み易くする効果がある。
【００１２】  前記首掛け式送風機１の前記ファン７は本体内側の空気吸込み口８から空気を吸い込み、該首掛け式送風機１内部を通って本体上部の空気吹出し口９から空気を吹出し、装着者の首を冷却する効果がある。
【００１３】  使用者が本実施例の保護具を装着する際には、前記面ファスナー４で前記保護板２を取り外した状態で前記首掛け式送風機１を首に掛けた後、該保護板２を前記面ファスナー４で前記保護板保持部３に結合する。
【００１４】  また、図２に本実施例の電気接続ブロック図を示す。前記首掛け式送風機１の本体にスイッチ（図示せず）、制御部６と充電池５が設けられ、該スイッチ（図示せず）は該制御部６に接続されファンの電源オンとオフを切り替える作用をする。前記ファン７は該制御部６を介して該充電池５が接続され回転する仕組みとなっている。また、該充電池５は該制御部６に設けられたＵＳＢコネクタ（図示せず）に、外部のＵＳＢ充電器からＵＳＢケーブルを接続して充電する事ができる構成となっている。
【００１５】  上述の通り、ファンで保護板開口部より取り込んだ外部の空気を保護板内部へ送風する事で、顔面保護具の内部温度、湿度の上昇を軽減する事が出来る顔面保護具を構成する事ができる。
【００１６】  なお、本考案は、前記実施形態に限定されるものではなく、本考案の目的を達成できる範囲における構成や形態をも含むものである。例えば、ファンの電源に充電池の他に乾電池を追加して設けスイッチで切り換える事も考えられる。
【産業上の利用可能性】
【００１７】  本考案は、顔面前方から飛散する飛沫の防止、および装着者の口から飛散する飛沫の防止に適している。
【符号の説明】
【００１８】  １    首掛け式送風機
２    保護板
３    保護板保持部
４    面ファスナー
５    充電池
６    制御部
７    ファン
８    空気吸込み口
９    空気吹出し口
【図１】
0003230479.tif 000003
【図２】
0003230479.tif 000004
(57)【要約】      （修正有）【課題】苗の植え付けにおいて、植え始めや横のラインが一直線となり、風通しや日照を均一にできる田植機を提供する。【解決手段】田植機１は、両サイドまたは上部にセンサー７を備える。センサー７を用いて隣の列と同じ位置から植え付けを開始出来るようにし、縦横２方向に整列された植え付けが可能になる。センサー７を常時または必要とされるタイミングで働かせば常に隣の列に合わせた植え付けが可能となり、ライン８が一直線となり２方向が整列された日当たりと通風が均一な田植えを完成することができる。【選択図】図２
0003230465.tif 000002
【実用新案登録請求の範囲】
【請求項１】
図2の1の田植え機の両サイドまたは上部に7のようなセンサーを取付けて先に植えた苗の位置とピッチを認識し、苗を植え付けるタイミングを先に植えた苗と同じにして図2に示すように植え付けした苗が縦横2方向に整列した田植えを実現する。
【考案の詳細な説明】
【技術分野】
【０００１】
本発明は、田植え機の植え付け位置、間隔に関する。
【背景技術】
【０００２】
農機具は日々進化を遂げ農作業は効率化されている。特に田植え機の進化は顕著である。歩行型から乗用型さらに自動作業型まで出現しそうである。しかし植え付け方法は当初からあまり進化していない。基本的には図１のように２条〜１０条程度の走行方向に向けた1方向のみ整列したすじ植え方法である。植え付け間隔は当初より広くなり進化しているが横方向に対する整列は図１の３のように無視され手植えのように縦横2方向が一列に整列していない。そのため稲が発育し実を付ける頃には風通しや日照を阻害する部分が発生し、病気の発生や収穫が減少する部分ができる。
【先行技術文献】
【特許文献】
【０００３】
【特許文献１】特公昭５７−３９７１０号広報
【特許文献２】特公昭６４−４３１０８号広報
【特許文献３】特開平６−７８６３８号
【特許文献４】特開平９−１４５３６７号
【特許文献５】特開平１０−３２７６０９号
【特許文献６】特開平１０−３２７６２４号
【特許文献７】特開２００４-２０８７００号
【考案の概要】
【考案が解決しようとする課題】
【０００４】
歩行型や乗用型の田植機による苗の植え付けは図１の４の走行方向に対して1方向のみ整列したすじ植であり、直角方向は田植え機の条数の数だけ整列されているが、３の植え始めや５の横のラインのように隣の列とでは微妙にずれている。
【課題を解決するための手段】
【０００５】
図２のように７のセンサーを用いて隣の列と６に示す同じ位置から植え付けを開始出来るようにすれば、縦横方向に整列された植え付けが可能になる。また７のセンサーを常時または必要とされるタイミングで働かせば常に隣の列に合わせた植え付けが可能となり、８のラインが一直線となり日当たりと通風が均一な田植えを完成することができる。
【考案の効果】
【０００６】
図２の縦横方向に整列した稲は均一な日照と通風を得て病気や害虫の発生も少なく多くの収穫が期待される。
【０００７】
田植え後の除草作業や追加の肥料まき及び消毒作業なども図２のように縦横方向に整列された圃場は歩きやすく、誤って稲を踏む恐れも少なくなり作業効率が良くなる。
【０００８】
通常田植えの方向と同じ方向で稲刈りを行うが、図２のように縦横の２方向に整列した状態の稲は圃場の形や接する道路などの条件により田植えの方向と稲刈りの方向を変えることが可能になり作業効率が良くなる。
【図面の簡単な説明】
【０００９】
【図１】従来の田植機での田植え状況図
【図２】センサーにより植え付け位置を合わせた田植え状況図
【考案を実施するための形態】
【００１０】
図２の１の田植え機の両側面に７のセンサーを取り付け、先に植えた苗の間隔を感知し植え付け部の始動を６のように先に植えた苗に合わす。また７のセンサーを常時または必要とされるタイミングで働かせばカーブする圃場でも常に隣の列に合わせた植え付けが可能となり、斜めの圃場の場合に植え始めの位置を変えても植え付けの位置を先に植えた横の苗と同じピッチになるようにする事も可能である。
【符号の説明】
【００１１】
１  田植え機
２  植え付けされた苗
３  植え始めがずれた苗の状況
４  田植え機の進行方向
５  植え付けがずれた横のライン
６  植え始めが合った苗の状況
７  植え付け間隔を感知するセンサー
８  植え付けがずれてない横のライン
【図１】
0003230465.tif 000003
【図２】
0003230465.tif 000004
【手続補正書】
【提出日】令和2年11月19日(2020.11.19)
【手続補正１】
【補正対象書類名】実用新案登録請求の範囲
【補正対象項目名】全文
【補正方法】変更
【補正の内容】
【実用新案登録請求の範囲】
【請求項１】
田植え機（１）の両サイドまたは上部にセンサー（７）を取付けて先に植えた苗の位置とピッチを認識し、苗を植え付けるタイミングを先に植えた苗と同じにして、植え付けした苗が縦横２方向に整列した田植えを実現する田植え機。
(57)【要約】      （修正有）【課題】ニラやネギ等の長尺野菜の定量結束作業において、直前の結束作業の遅れ等による結束作業の待ち時間をなくし、結束作業時間を短縮させ、さらに、計量した一束分の定量性を高め結束作業を効率化する定量束ね促進補助具を提供する。【解決手段】定量束ね促進補助具１は、回転でき、半径長さも調整できる円板形状２であり、円板２には複数の小枠の区画の仕切りを構成する各々が略等間隔に設けられた棒状杭３が設けられている。計量した一束分の所定量のニラやネギ等の長尺野菜を、定量結束装置に送ることができない場合には、適宜の高さの棒状杭の間に一時仮置きすることで、定量結束装置での結束作業が継続することを可能とし、さらに適切な棒状杭を選択することで、計量した一束分の定量性も高めることも可能とすることができる。【選択図】図１
0003230462.tif 000002
【実用新案登録請求の範囲】
【請求項１】
収穫し、水洗し、出荷用に仕上げた、一束分の所定量の長尺野菜を、区画枠内に一時仮置きする定量束ね促進補助具において、該定量束ね促進補助具が、回転具が設けられた円板形状であり、該円板は複数の小枠の区画の仕切りを構成する各々が略等間隔に設けられた棒状杭を有する構造であることを特徴とする定量束ね促進補助具。
【請求項２】
前記定量束ね促進補助具の複数の小枠の区画の仕切りを構成する棒状杭の高さが５〜２０ｃｍであることを特徴とする請求項１記載の定量束ね促進補助具。
【請求項３】
前記定量束ね促進補助具の円板の半径長さが、自在に取替式に調整できる構造であることを特徴とする請求項１又は２記載の定量束ね促進補助具。
【考案の詳細な説明】
【技術分野】
【０００１】      本考案は、ニラやネギ等の長尺の野菜の一束分ごとに束ねる定量結束装置の促進補助具に関する。
【背景技術】
【０００２】      ニラやネギ等の長尺野菜は、栽培している畑で収穫して、籠等の容器に収納して、家や工場などの作業場に持ち帰り、水洗して、下葉などを除いて、出荷できる状態に仕上げたものを計量して、一束分とし、これを結束装置で結束して、適宜の数を出荷用の箱に詰めて出荷している。【０００３】      ところが、結束装置による、直前の結束分の結束作業が終了するまでは、計量した一束分を持ったまま待たなければならず、余分な時間を費やしていた。【０００４】      これに対しては、所定量の結束用作物がベルトにより搬送されると搬送機が停止し、結束装置に送り定量が結束される技術を提案した文献（例えば、特許文献１参照）も開示されているが、この技術は大量の結束作業向けであり、少量作業においてはコスト高となるものである。
【先行技術文献】
【特許文献】
【０００５】
【特許文献１】特開２０１７−８１５７０  公報
【考案の概要】
【考案が解決しようとする課題】
【０００６】      しかしながら、ニラやネギ等の長尺野菜の結束作業において、出荷できる状態に仕上げたものを計量して、一束分としたものを結束装置で結束する場合に、直前の結束作業が遅れることにより、次の結束作業に待ち時間が生じる等の余分な時間の発生をなくすことを課題とする。
【課題を解決するための手段】
【０００７】      請求項１に係る考案は、計量した一束分の所定量の長尺野菜を定量結束促進補助具である回転式円板の複数の小枠の区画の仕切り構成する棒状杭に一時仮置きできるものであり、直前の結束分の作業が終了していなくても結束作業を中止することなく、結束作業を継続することができるようにしたものである。【０００８】      請求項２に係る考案は、定量結束促進補助具である回転式円板の複数の小枠の区画の仕切りを構成する棒状杭の高さを５〜２０ｃｍにすることで、一定量の結束量を確保しやすく、仮置き及び結束作業をスムーズにできるようにしたものである。【０００９】      請求項３に係る考案は、定量結束促進補助具である回転式円板の半径長さを自在に調整することで、ニラやネギ等の結束作物の種類、長さ、大きさ等に対応できるようにしたものである。
【考案の効果】
【００１０】      請求項１に係る考案により、回転式の結束促進補助具に、計量した一束分を仮置きすることで、一部の結束作業が遅くなっても、定量結束作業を停止することがなくなった。【００１１】      請求項２に係る考案により、棒状杭の高さを適切にすることで、結束量を確保しやすく、仮置き及び結束作業がスムーズにできるようになった。【００１３】      請求項３に係る考案により、回転式円板の半径長さを適切に選択することで、様々なタイプの作物の結束作業ができるようになった。
【図面の簡単な説明】
【００１４】
【図１】  本考案の定量結束促進補助具の１例を示す正面図。
【考案を実施するための形態】
【００１５】  以下に、本考案の実施形態について、具体的に、図面に沿って詳細に説明する。
【００１６】  本考案の長尺野菜の定量結束促進補助具は、図１に示すように、回転でき、半径長さも調整できる円板形状であり、該円板には複数の小枠の区画の仕切りを構成する各々が略等間隔に設けられた棒状杭が設けられた構成となっている。
【実施例】
【００１７】  ニラやネギ等の長尺野菜を出荷用に定量を結束する場合に、栽培している畑で収穫して、籠等の容器に収納して、家や工場などの作業場に持ち帰り、水洗して、下葉などを除いて出荷できる状態に仕上げたものを計量し、一束分としたものを結束装置で結束する場合に、結束作業が中断されるのを防ぐため、一時仮置きすることにより、結束作業の効率を高める定量結束促進補助具である。
【産業上の利用可能性】
【００１８】  本考案によれば、ニラやネギなどの長尺野菜の結束作業において、計量から結束まで、作業を中断することなく、連続で行うことができるようになり、作業時間を短縮することができ、さらに、適切な棒状杭の選定により一束分の所定重量の正確性も高めること等もできるようになり、作業者の労力を軽減させ、生産性の向上を図ることができる。
【符号の説明】
【００１９】１  定量結束促進補助具
２  回転できる円板状体
３  棒状杭
４  円板状体固定具
【図１】
0003230462.tif 000003
【手続補正書】
【提出日】令和2年10月28日(2020.10.28)
【手続補正１】
【補正対象書類名】実用新案登録請求の範囲
【補正対象項目名】請求項３
【補正方法】変更
【補正の内容】
【請求項３】
前記円板形状の定量束ね促進補助具が、取替式に調整できることを特徴とする請求項１又は２記載の定量束ね促進補助具。
(57)【要約】      （修正有）【課題】足場の高さを自在に調整することができ作業性が良い簡易足場を提供する。【解決手段】足場を支える縦のパイプの棒１に横板２を２枚パイプにだき合せに取付け、パイプの棒に接する部分に２箇所ボルト３を取付けて横板を固定させる。この部分を上下させて足場の高さを調整する。次に横板の後部に斜めにスプリング４で引張らせた棒５をパイプにあて支え柱とする。【選択図】図２
0003230463.tif 000002
【実用新案登録請求の範囲】
【請求項１】
縦のパイプの棒とボルトの取付箇所が２箇所ある合せ板とスプリングの付いた斜めの支え棒から成ることを特徴とする簡易足場。
【考案の詳細な説明】
【技術分野】
【０００１】  本考案は、足場に関するものである。
【背景技術】
【０００２】  高所の塗装、高所の木の剪定等で自在に高さを調整できるものは、殆ど無かった。
【考案の開示】
【考案が解決しようとする課題】
【０００３】  高さを自在に調整できる機能を付けたことで前途の欠点を解決している。
【課題を解決するための手段】
【０００４】  本考案は、足場に高さを決める金具を設けたことで問題点を解決している。
【考案の効果】
【０００５】  上途の様に、足場の高さを自在に調整できることで思うように作業することに役立つ。
【考案を実施するための最良の形態】
【０００６】  棒状のパイプに足場の高さを決める金具を取付け、足場板をそこに置き作業を行う。
【実施例】
【０００７】  以下、添付図に従って実施例を説明する。１の棒状のパイプに３の固定金具の付いた２の足場固定台を付け、４のスプリングの付いた５の支え金具から成り６の様に取付けて作業を行う。【０００８】  本考案の実施例は、上途の如き構成からなるもので、高さを自在に調整して作業ができ便利である。
【図面の簡単な説明】
【０００９】
【図１】正面図
【図２】側面図
【図３】実施例図
【符号の説明】
【００１０】    １  パイプ状の棒
２  足場置台
３  足場調整棒
４  スプリング
５  足場支え棒
６  足場調整金具
７  ナット
【図１】
0003230463.tif 000003
【図２】
0003230463.tif 000004
【図３】
0003230463.tif 000005
【手続補正書】
【提出日】令和2年10月29日(2020.10.29)
【手続補正１】
【補正対象書類名】実用新案登録請求の範囲
【補正対象項目名】全文
【補正方法】変更
【補正の内容】
【実用新案登録請求の範囲】
【請求項１】
縦のパイプの棒に横板を２枚パイプにだき合せに取付けパイプの棒に接する部分に２箇所ボルトを取付けて横板を固定させるこの部分を上下させて高さを調整させる次に横板の後部に斜めにスプリングで引張らせた棒でパイプにあて支え柱とすることを特徴とする簡易足場。
(57)【要約】      （修正有）【課題】汚れた粘着テープをスムーズに切り取ることができる粘着ロール式クリーナーを提供する。【解決手段】粘着ロール式クリーナーの本体１又はローラ保持フレーム２に定規のようなカッター６をばね部５を介して取り付ける。カッターはローラ粘着シート３の回転を阻害しないように間隔をあけて取り付ける。取付け部４、ばね部、カッターの素材は金属や樹脂のようにある程度弾力性のあるものを使用する。カッターは定規のような形状で触っても手を傷つけるような鋭利さは必要ない。【選択図】図１
0003230466.tif 000002
【実用新案登録請求の範囲】
【請求項１】
掃除用具通称「コロコロ（登録商標）」に使用して汚れた不要な粘着シートを切り取るための定規状のカッターをばね部を介して本体及びローラ保持フレームに取り付けた形態。
【考案の詳細な説明】
【技術分野】
【０００１】
本考案は、図６のような掃除用具通称「コロコロ（登録商標）」と称されるローラー粘着シート部の切断に関するものである。
【背景技術】
【０００２】
図６のような掃除用具通称「コロコロ（登録商標）」以下コロコロと言う。コロコロを使用して掃除し終わったあと、図６の３のローラ粘着シートの汚れた部分を切断し取り外すためにシート部分にミシン目や切り口を入れたものや、切り口を斜めにしたローラ粘着シートもある。また汚れたシートを巻き取る形状も考案されている。
【先行技術文献】
【特許文献】
【０００３】
【特許文献１】実用新案登録第３１６３０３７号
【特許文献２】実用新案登録第３０７７３３４号
【特許文献３】特開２０１５ー１６７８５０
【考案の概要】
【考案が解決しようとする課題】
【０００４】
図６のようなコロコロを使用し掃除し終わったあと、ローラ粘着シートの汚れた部分を切り取る際、シートのミシン目や切り取りラインでスムーズに切り取り出来ない時がある。また切り取りたいところで切り取れず無駄にシートを使ってしまう事もある。そこで切り取りたいところに物差しのような定規を当てて切り取る方法もある。
【課題を解決するための手段】
【０００５】
本考案は、図１（上面図）の１のコロコロ本体又は２のローラ保持フレームに定規のような６のカッターを５のばね部を介して4の部分で本体に取り付ける。図４（側面図）のように６のカッターは３のローラ粘着シートの回転を阻害しないように間隔をあけて取り付ける。図２は本考案を正面から見た図で図３は裏面（本体側）から見た状態です。４の取付け部、５のばね部、６のカッター部の素材は金属や樹脂のようにある程度弾力性のあるものを使用する。６のカッター部は定規のような形状で手で触っても手を傷つけるような鋭利さは必要ない。
【０００６】
本考案の使用方法は、図５のように本体側の片手で６のカッター部分を３のローラ粘着テープの切断したい部分に押さえつけもう片方の手で８の汚れて切り取りたいシートをつまみ6のカッターに沿って切り取る。
【考案の効果】
【０００７】
汚れた粘着テープの切り取りたい所から切り取れるので粘着テープを不要に使用しなくて省エネにつながる。
【０００８】
長方形に切り取った汚れた粘着テープは折りたたみ易く処分しやすくなる。
【図面の簡単な説明】
【０００９】
【図１】上面図（考案の形状を上から見た状態）
【図２】正面図（ローラ粘着シート側から）
【図３】裏面図（コロコロ本体側から）
【図４】側面図（コロコロ本体横から）
【図５】側面図（汚れたローラ粘着シート切取り状況）
【図６】上面図（掃除用具通称「コロコロ（登録商標）」）
【符号の説明】
【００１０】
１  掃除用具通称「コロコロ（登録商標）」本体
２  ローラ保持フレーム
３  ローラ粘着シート
４  カッター取付け部
５  カッター保持ばね部
６  カッター部
７  本体側の手（親指）
８  汚れて取り外す粘着テープ
９  切取り側の手（親指と人差し指）
【図１】
0003230466.tif 000003
【図２】
0003230466.tif 000004
【図３】
0003230466.tif 000005
【図４】
0003230466.tif 000006
【図５】
0003230466.tif 000007
【図６】
0003230466.tif 000008
【手続補正書】
【提出日】令和2年11月19日(2020.11.19)
【手続補正１】
【補正対象書類名】実用新案登録請求の範囲
【補正対象項目名】全文
【補正方法】変更
【補正の内容】
【実用新案登録請求の範囲】
【請求項１】
使用して汚れた不要な粘着シートを切り取るための定規状のカッターをばね部を介して本体及びローラ保持フレームに取り付けた粘着ロール式クリーナー。
(57)【要約】      （修正有）【課題】やきとり等の串ものを食するときの汚れ防止と持ちにくさを改善する串保持具を提供する。【解決手段】後端部を支点に内部に溝を有し、串の持ち手部分を挟み、固定具２で外れないようにし、使用後、固定具を外して洗浄も出来る。【選択図】図２
0003230459.tif 000002
【実用新案登録請求の範囲】
【請求項１】
串を保持具内の溝に挟み固定具で串が抜けない様にする。
本体と固定具を外して容易に洗浄することが出来る。
本体後部がバネの役目も担っている。
【考案の詳細な説明】
【技術分野】
【００１】本考案はやきとり等の串を保持する事に関するものである。
【背景技術】
【００２】家庭、飲食店において串を持つと指先が汚れる、又小さな子供などは力が弱いため持ちにくい
【考案の概要】
【考案が解決しようとする課題】
【００３】串を持つと指先にタレなどが付き衛生的でなく、持ちにくい為に子供などは落としてしまう事もある。従って本考案はタレなどで指先か汚れるのを防止すると共に、持つ所を大きくする事で子供でも持ちやすくします。
【課題を解決するための手段】
【００４】本考案はくしの持ち手部分を本保持具で挟み、手に持って食し食べ終わったら本保持具を外し別の串を挟み、何度でも使用出来る。
【考案の効果】
【００５】串を持つ時に指先が汚れず、子供も持ちやすくなりました。
【図面の簡単な説明】
【００６】
【図１】串を保持した状態です。
【図２】保持具本体です。固定具を前後させることにより挟みやすくします。
【図１】
0003230459.tif 000003
【図２】
0003230459.tif 000004
【手続補正書】
【提出日】令和2年9月3日(2020.9.3)
【手続補正１】
【補正対象書類名】実用新案登録請求の範囲
【補正対象項目名】全文
【補正方法】変更
【補正の内容】
【実用新案登録請求の範囲】
【請求項１】
後端部を支点に内部の溝でやきとりや団子の串の持ち手部分をを挟み固定具で外れないようにする、使用後分解して洗浄も出来る。
【手続補正書】
【提出日】令和2年10月30日(2020.10.30)
【手続補正１】
【補正対象書類名】実用新案登録請求の範囲
【補正対象項目名】全文
【補正方法】変更
【補正の内容】
【実用新案登録請求の範囲】
【請求項１】
後端部を支点に内部の溝でやきとりや団子の串の持ち手部分をを挟み固定具で外れないようにし、使用後、前記固定具を外して洗浄も出来ることを特徴とする串保持具。
(57)【要約】      （修正有）【課題】手首に装着し、空いている手の指の操作により除菌液を噴射させ、いつでもどこでも手軽に手の除菌ができる携帯用除菌装置を提供する。【解決手段】手首への取り付け部材２、除菌液を収容し、外力が加えられることにより収容体積が変化しうる噴出孔６を有する容器４、および取り付け部材に容器を取り付ける容器保持部材３からなり、外力を加えることにより噴射孔より除菌液を手に向けて噴射する。【選択図】図１
0003230451.tif 000002
【実用新案登録請求の範囲】
【請求項１】
手首への取り付け部材、除菌液を収容し、外力が加えられることにより収容体積が変化しうる噴出孔を有する容器、および前記取り付け部材に前記容器を取り付ける容器取り付け部材からなり、外力を加えることにより前記噴射孔より除菌液を手に向けて噴射せしめることを特徴とする携帯除菌装置
【考案の詳細な説明】
【技術分野】
【０１】本考案は携帯可能な小型除菌装置に関するものである。
【背景技術】
【０２】新コロナウイルスの蔓延に対処するために、家や部屋など各所にアルコールなどの除菌装置が設けられている。しかしながら、入口の扉の内外などの固定場所に設置されていることが多い。多くの人が触れる手摺やハンドレールやつり革には、その接触の都度、手のひらを除菌することが望ましいことがある。しかしながら、そのような要求に答えることのできる手軽な除菌装置が見受けられなかった。
【考案が解決しようとする課題】
【０３】本考案はいつでもどこでも手を除菌したいときに手軽に除菌することのできる提携可能な小型除菌装置を提供するものである。
【課題を解決するための手段】
【０４】手首への取り付け部材、除菌液を収容し、外力が加えられることにより収容体積が変化しうる噴出孔を有する容器、および前記取り付け部材に前記容器を取り付ける容器取り付け部材からなり、外力を加えることにより前記噴射孔より除菌液を手に向けて噴射せしめることを特徴とする携帯除菌装置
【考案の効果】
【０５】本考案装置によれば、ハンドレールやつり革にやむを得ずに触れたときに、除菌したいと感じたその都度、いつでもどこでも手軽に手の除菌をすることができる。
【図面の簡単な説明】
【０６】
【図１】図１は本考案装置の使用態様を示す斜視図である。
【図２】図２は本考案の一実施例装置の側面図である。
【図３】図３は本考案の一実施例装置に使用する除菌液収納容器の正面図である。
【図４】図４はその側面図である。
【考案を実施するための形態】
【０７】図１は本考案装置の使用態様を示す斜視図である。本考案装置はゴム製、革製、プラスチック製、または布製の手首への取り付け部材であるリストバンド２によって手首に取り付け、取り外しできるように構成されている。図２にしめすように、リストバンド２には、一実施例では容易に変形可能な保持部材３が一体にとりつけられている。
【０８】保持部材３により、アルコールなどの除菌液を収納する容器４が、取り外し可能にリストバンド２に保持される。容器４は比較的剛性の小さな、プラスチック、ゴム、金属などの素材からなる。図４に示すように、リストバンド２を取り付けていない手の指によって、矢印Ｆに示すような外力が加えられると容積が変化する。
【０９】図３に示すように、容器４にはノズル部５が、例えば、ネギ部９によって、取り外し可能に取り付けられている。ノズル部５の先端には噴射孔６が設けられ、その周辺には、不使用時には噴射孔６を密封し、使用時には、ばね内蔵（図示せず）の取り付け軸を中心に回転し、噴出孔６の露呈を許す蓋７が設けられている。フック８は不使用時には蓋７をしっかりと閉じ、使用時は蓋７の開放動作を作動せしめる。
【１０】本考案装置の動作を説明する。図１、図２に示すように、本考案装置は、必要とされる時には、腕時計のように、リストバンド２によって手首に取り付けられ携帯される。除菌したいときには、ノズル部５を手のひらに向ける。フック８を外すと内蔵ばねによって、蓋７が回転して開き、噴射孔６が露呈する。保持部材３を介して、取り付け手首でないほうの手の指によって容器４に押圧力を加えるとアルコールなどの除菌液が手のひらに噴射され、両手をこすり合わせて除菌効果を達成することができる。
【１１】保持部材３を剛性の比較的大きな素材で構成し、容器４の胴部の一部のみを締め付け固定するような構成とし、比較的多く露呈している容器４の一部を直接押圧して、除菌液を噴射せしめるようにしてもよい。
【１２】前述した実施例ではノズル部５に設けた蓋７が、回転軸内蔵ばね（図示せず）とフック８の取り外しにより、自動的に開く構成としたけれども、蓋７を空いている手の指で取り外す構成とすることもできる。ノズル部５の外周と蓋７の内周の密着度を適宜設定すれば、不使用時は密封し使用時は指によって開くようにすることも可能である。
【図１】
0003230451.tif 000003
【図２】
0003230451.tif 000004
【図３】
0003230451.tif 000005
【図４】
0003230451.tif 000006
(57)【要約】      （修正有）【課題】飲食の際の会話をする際に、飛沫を防ぐことができるエチケットマスクを提供する。【解決手段】ペーパータオルと割り箸２からなる四角形のエチケットマスクであり、丸い固定台１に割り箸２を差し込み、縦の折り目３を立て、横の折り目４を奥に押し袋状のマスクにする。顔を包み込み、口を覆うことで相手に飛沫を飛ばさないようにし、相手からの飛沫を浴びないようにする。【選択図】図２
0003230453.tif 000002
【実用新案登録請求の範囲】
【請求項１】
ペーパータオルと割り箸からなる四角形のエチケットマスクであり、立ての折り目を立てて、顔を包み込み、横の折り目を奥に押して、袋状にして口を覆い、丸い固定台に割り箸の先を差し込み、手で持って使用することを特徴とする飲食用エチケットマスクである。
【考案の詳細な説明】
【技術分野】
【０００１】  本考案は飲食中の会話をする際に使用するエチケットマスクである。
【背景技術】
【０００２】  今までは、飲食中に会話をする際に、エチケットマスクはなかった。
【考案の概要】
【考案が解決しようとする課題】
【０００３】  このエチケットマスクで飲食時の会話をする際に口元を塞げば、飛沫を防ぐことができ、相手の飛沫も防げる。
【課題を解決するための手段】
【０００４】  本考案は、エチケットマスクを顔に当てることで、相手に飛沫を飛ばないようにしている。
【考案の効果】
【０００５】  本考案により、相手と会話をする際に飛沫防止になる為、精神的に満足していただける。
【図面の簡単な説明】
【０００６】
【図１】  マスクの裏面の図
【図２】  斜め後ろから見た図
【考案を実施するための形態】
【０００７】  エチケットマスクを使用する際は、固定台に割り箸の先の部分を差し込み、縦の折り目を奥に押して袋を作り、立てて使用する。
【実施例】
【０００８】  以下添付図面に従って、完成例を説明する。
本体は加工性に優れたペーパータオルと割り箸で作ったエチケットマスクであり、▲１▼丸い固定台に▲２▼割り箸の先を差し込み、▲３▼縦の折り目を立て、顔を包み込むように▲４▼横の折り目を押して、▲５▼袋状にして口を覆い、固定台を持って使用する。
【符号の説明】
【０００９】▲１▼丸い固定台  ▲２▼割り箸  ▲３▼縦の折り目  ▲４▼横の折り目  ▲５▼袋
【図１】
0003230453.tif 000003
【図２】
0003230453.tif 000004
【手続補正書】
【提出日】令和2年10月23日(2020.10.23)
【手続補正１】
【補正対象書類名】実用新案登録請求の範囲
【補正対象項目名】全文
【補正方法】変更
【補正の内容】
【実用新案登録請求の範囲】
【請求項１】
ペーパータオルと割り箸からなる四角形のマスクであり、丸い固定台に割り箸を差し込み、縦の折り目を立て横の折り目を奥に押し袋状のマスクにして手で持ち口元にあてがい顔を覆うことで飛沫が飛ぶのを防ぐことを特徴とする飲食用エチケットマスク。
(57)【要約】      （修正有）【課題】時計文字盤の背景部分に、アルコールインク染料を使用し、装飾を施したシート形状の装飾盤を備えることにより、ファッション性、デザイン性の高い時計を提供する。【解決手段】時計文字盤Ａは、シート形状の部材にアルコールインク染料で装飾を施し文字盤型に加工した装飾盤２を、下地盤の上部に重ね合わせることにより、文字盤の模様・背景を任意に差し替えることが可能であり、また、文字盤Ａを用いることにより、凡庸な文字盤の時計に比べ、よりデザイン性、ファッション性の高い装飾を施すことができる。【選択図】図３
0003230452.tif 000002
【実用新案登録請求の範囲】
【請求項１】
アルコールインク染料で模様を描画したことを特徴とする装飾を施したシート形状の装飾盤。
【請求項２】
上記装飾盤に、時針、分針、秒針等の取付け軸を挿通するための軸用孔が形成されている請求項１記載の装飾盤を使用した文字盤。
【請求項３】
請求項２記載の文字盤に、時字部品の配置加工を施した文字盤。
【請求項４】
請求項２又は請求項３記載のいずれかの文字盤を備えていることを特徴とする時計。
【請求項５】
請求項２又は請求項３記載のいずれかの文字盤を備えていることを特徴とする腕時計。
【考案の詳細な説明】
【技術分野】
【０００１】  本考案は、アルコールインク染料で模様を描画したことを特徴とする装飾を施したシート形状の装飾盤を用いた文字盤、それを備えた時計に関するものである。
【背景技術】
【０００２】  従来、印刷機を使用し図案を印刷した時計文字盤や、直接文字盤に水彩絵具、油性絵具を用いて装飾を施されたタイプの時計文字盤がある。
【先行技術文献】
【特許文献】
【０００３】
【特許文献１】特開平１１−３２６５４８号
【考案の概要】
【考案が解決しようとする課題】
【０００５】  時計文字盤の背景部分に、アルコールインク染料で模様を描画したことを特徴とする装飾を施したシート形状の装飾盤を備えることにより、ファッション性、デザイン性の高い時計の作製と提供をする。
【課題を解決するための手段】
【０００６】  アルコールインク染料を従来の時計文字盤に直接塗装すると、文字盤外周輪郭や円縁に染料が滞ってしまい、端正且つ流麗なアルコールインク装飾を描出し表現することは困難である。そのため、予めアルコールインク染料での装飾塗装を施したシート形状の部材を裁断加工し、下地盤と装飾盤を重ね合わせることにより、背景にアルコールインク染料を用いた装飾を施した文字盤、それを備えた時計を形成する目的とした構成である。
【考案の効果】
【０００７】  上述の様に、時計文字盤にアルコールインク染料で装飾塗装を施したシート形状の装飾盤は、差し替えることにより一つの凡庸な文字盤に限らず、様々な図案・絵柄・模様の装飾を施すことが可能であり、また文字盤Ａを用いた時計は、時間に当てはめて表示する時計としての機能に止まらず、デザイン性を兼ね備えた装飾品としての一面もある時計である。
【図面の簡単な説明】
【０００８】
【図１】本考案の一実施形態に係る文字盤Ａの作製に使用するシート形状の部材の拡大図である。
【図２】上記のシート形状の部材に装飾塗装を施し、文字盤型に切り出した装飾盤と下地盤を重ね合わせた文字盤の拡大図である。
【図３】上記、文字盤を用いた腕時計の拡大図である。
【考案を実施するための形態】
【０００９】  本考案に係る時計文字盤は、シート形状の部材１にアルコールインク染料を使用して、偶発的に生じる模様の装飾塗装を施し文字盤型に加工した装飾盤２を下地盤３の上部に重ね合わせることにより、文字盤の模様・背景を任意に差し替えることが可能である。また、本考案に係る時計は、２を使用したＡを用いることにより、凡庸な文字盤の時計に比べ、よりデザイン性、ファッション性の高い装飾を施した文字盤を備えた時計を形成するものである。
【実施例】
【００１０】  本考案に係る文字盤と腕時計について、添付図面を参照して説明する。【００１１】  図面１に示すように、１は本考案の一実施形態として文字盤Ａを作製するのに使用する素材、主に材質は、極めて薄く平滑なシート形状のビニール、プラスチック質、合成紙等である。【００１２】  ２は、図２に示すように、１にアルコールインク染料を用いて装飾を施し、シート形状の装飾盤として加工したものである。【００１３】  文字盤Ａは、図２に示すように、２のシート形状の装飾盤を、３の下地盤に重ね合わせ、時計の文字盤として加工したものである。又、文字盤Ａの中心部には、図２に示すように、時針秒針等の取り付け軸を挿通するための軸用孔４が形成されている。【００１４】  図３に示すように、上記軸用孔に時針５，分針６，秒針７等の取り付け軸８を挿通し文字盤Ａに搭載している。【００１５】  ９は、図３に示すように、上記文字盤Ａ及びこれの上からカバーガラス（図示しない）を備えた、全周にわたって鍔を起立形成した形状のケースであり、この中にムーヴメント（図示しない）が収容されている。【００１６】  １０は、ベルト１２をケース９に取り付けるためのラグである。【００１７】  本考案は前述した実施形態に限るものではなく、このような変形実施が可能である。上記においては、アルコールインク染料を用いた模様のみを文字盤としたが、時字部品の配置加工を施した文字盤の構成にしてもよい。【００１８】  また、上記においては、時計として腕時計を例として説明したが、置き時計及び掛け時計等の時計としての文字盤として適用できる事は勿論である。
【符号の説明】
【００１９】１      シート形状部材
２      装飾盤
３      下地盤
４      軸用孔
５      時針
６      分針
７      秒針
８      針軸
９      ケース
１０    ラグ
１１    バンド
Ａ      文字盤
【図１】
0003230452.tif 000003
【図２】
0003230452.tif 000004
【図３】
0003230452.tif 000005
(57)【要約】      （修正有）【課題】軽量、安全で簡単に設置、解体ができて省スペース収納が可能な、臨時用として利用できる、防音効果を有する間仕切り用の防音パネルを提供する。【解決手段】コンビネーション防音パネルは、吸音材１、遮音材、パネル本体の順に重ね合わせ、それらを外カバー４で覆い形成されたもので、手軽に持ち運びできる１メートル四方サイズ等の一定の大きさに設計されたコンビネーション防音パネルの外カバー４の夫々の面に備えられた面ファスナーなどを有した固定材５により、全方向自由自在に複数のコンビネーション防音パネル同士を容易に安全に連結、取り外しすることが可能となる。【選択図】図３
0003230413.tif 000002
【実用新案登録請求の範囲】
【請求項１】
防音効果を有する防音パネルであって、それぞれ少なくとも1枚の吸音材１とパネル本体２と遮音材３を重ね合わせたもの、又はそれぞれ少なくとも１枚の吸音材１とパネル本体２を重ね合わせたもの、又は少なくとも１枚の吸音材１のみを、固定材５を備えた外カバー４で覆い形成されることを特徴としたコンビネーション防音パネル
【請求項２】
前記固定材５は、面ファスナーを有することを特徴とした請求項１に記載のコンビネーション防音パネル
【請求項３】
前記外カバー４は形状が立方体であり、その夫々の面に備えられた前記固定材５により、複数個の請求項１、２に記載のコンビネーション防音パネルを隙間なく全方向自在に連結することを特徴とした請求項１、２に記載のコンビネーション防音パネル
【考案の詳細な説明】
【技術分野】
【０００１】
本考案は、主としてオフィスや工場、避難所等で利用する間仕切り部材に関する。
【背景技術】
【０００２】
例えば、災害時の緊急避難所では、体育館などの広いスペースに長期に渡って避難する時には、生活する上でのプライバシー確保の為にダンボールや布等の部材で簡易的に複数の区画に間仕切りを設置することがあるが、それらはおおよそ視界を遮るだけのもので、話し声や物音は比較的周囲に容易に聞こえる状況であり、プライバシーの確保が充分にされているとは言い難い。
【０００３】
又、緊急避難所などで臨時に間仕切りを設置した場合、平常時には間仕切り部材を倉庫等に収納しておく必要がある為、臨時用の間仕切り部材としては省スペース収納が可能で簡単に設置、解体ができることが必要である。
【考案の開示】
【考案が解決しようとする課題】
【０００４】
軽量、安全で簡単に設置、解体ができて省スペース収納が可能な、臨時用として利用できる、防音効果を有する間仕切り用の防音パネルを提供することを課題とする。
【０００５】
【課題を解決するための手段】
【０００６】
本考案はかかる問題を解決するため鋭意研究し得られたもので、手軽に持ち運びできる1メートル四方サイズ等の一定の大きさに設計されたコンビネーション防音パネルの外カバー４の夫々の面に備えられた面ファスナーなどを有した固定材５により、全方向自由自在に複数のコンビネーション防音パネル同士を容易に安全に連結、取り外しすることが可能となり、問題を解決している。
【考案の効果】
【０００７】
吸音材１と必要に応じて追加される遮音材３の効果により、高い防音効果を有した防音パネルとなり、更に外カバー４の夫々の面に備えられた面ファスナーなどを有した固定材５により、全方向自由自在に複数のコンビネーション防音パネル同士を連結、取り外しすることが可能なため、平常時は解体されたコンビネーション防音パネルを積み重ねて置くことで省スペース収納が可能で、間仕切りを設置する時にはコンビネーション防音パネルを自由に組み合わせることで緊急避難所の区画の間仕切りのように様々な形態に容易に設置することが可能になった。
【図面の簡単な説明】
【０００８】
【図１】コンビネーション防音パネルに関する吸音面斜視図
【図２】コンビネーション防音パネルに関する裏面斜視図
【図３】コンビネーション防音パネルの構造に関する三面図
【図４】請求項1に記載のコンビネーション防音パネルの構造に関する図で、吸音材1、パネル本体2、遮音材3の順に重ね合わせたもの
【図５】請求項1に記載のコンビネーション防音パネルの構造に関する図で吸音材1、遮音材3、パネル本体2の順に重ね合わせたもの
【図６】請求項1に記載のコンビネーション防音パネルの構造に関する図で吸音材1のみのもの
【図７】請求項1に記載のコンビネーション防音パネルの構造に関する図で吸音材1を両面に配置したものであり、夫々の面から吸音材1、パネル本体2、遮音材3の順に重ね合わせたもの
【図８】請求項1に記載のコンビネーション防音パネルの構造に関する図でコンビネーション防音パネルを複数個組み合わせた一例
【実施例】
【０００９】
請求項1に記載のコンビネーション防音パネルの吸音面斜視図を図1に示す。図２にコンビネーション防音パネルの裏面斜視図を示す。図３にコンビネーション防音パネルの三面図を示す。
【００１０】
図４は本考案の主体となすコンビネーション防音パネルの構造に関するものであり、吸音材1、パネル本体2、遮音材3の順に重ね合わせ、それらを外カバー4で覆い形成されたもので、遮音材３は防音の要求程度によって省略される場合がある。
【００１１】
図５は本考案の主体となすコンビネーション防音パネルの構造に関するものであり、吸音材1、遮音材3、パネル本体2の順に重ね合わせ、それらを外カバー4で覆い形成されたもので、遮音材３は防音の要求程度によって省略される場合がある。
【００１２】
図６は本考案の主体となすコンビネーション防音パネルの構造に関するものであり、吸音材1のみを外カバー4で覆い形成されたものである。
【００１３】
図７は本考案の主体となすコンビネーション防音パネルの構造に関するものであり、吸音材1を両面に配置し、夫々の面から吸音材1、パネル本体2、遮音材3の順に重ね合わせ、それらを外カバー4で覆い形成されたもので、遮音材３は防音の要求程度によって省略される場合がある。
【００１４】
図8は本考案の主体となすコンビネーション防音パネルの複数個組み合わせたものであり、矩形に囲まれた間仕切りの例である。
【符号の説明】
【００１５】
1    吸音材
2          パネル本体
3          遮音材
4          外カバー
5          固定材
【図１】
0003230413.tif 000003
【図２】
0003230413.tif 000004
【図３】
0003230413.tif 000005
【図４】
0003230413.tif 000006
【図５】
0003230413.tif 000007
【図６】
0003230413.tif 000008
【図７】
0003230413.tif 000009
【図８】
0003230413.tif 000010
(57)【要約】      （修正有）【課題】猫の興味を引き立て、より長い時間遊ばせることによって、猫の運動不足を解消することができるボールを提供する。【解決手段】ボール２は、内部の片側に重り１を入れることによって、ボール２本体の動きを変則的に回転するようにして猫の興味を引き寄せ、少しでも長い時間運動をさせるようにした。【選択図】図１
0003230715.tif 000002
【実用新案登録請求の範囲】
【請求項１】
ボール内部の片側に重りを入れることにより、変則的に回転するようにしたボール。
【考案の詳細な説明】
【技術分野】
【０００１】  本考案はボールの片方に重りを入れることによって、変則的に回転する猫のオモチャに関する。
【背景技術】
【０００２】  現代の飼い猫は室内で生活することが多く、それにともなって運動不足になりがちであることから猫の習性を利用した運動器具も数多く販売されており、手軽に転がせるボールも猫の運動用具として重宝されてきた。
【考案の開示】
【考案が解決しようとする課題】
【０００３】  しかし、猫がある物体の動きに敏感であるとはいえ、ボールは力を加えた一方向にしか回転しないことから、猫にしてもボールの単調な動きに長く興味を示すことがなく、せっかくボールを投げ与えても、継続的に運動をさせることができなかった。
【課題を解決するための手段】
【０００４】  そこで、ボール内部の片方を重くする事によって、ボール本来の直線的な回転を変則的な回転に変化させ、猫の興味を引き立てることによって、より長い時間運動をさせるようにした。
【考案の効果】
【０００５】  本考案による変則的に回転するボール自体は、ボール内部に入れた重りのせいで常に静止している状態ではあるが、猫や人間が少しでも接触すれば「振り子の原理」によってゆらゆらと揺れはじめ、それに興味を示した猫がさらに力を加えることによって変則的に転がり始めることから、それを本能的に追いかける猫が同じ動作を繰り返すことで一般的なボールよりも長い時間運動させることができる。
【考案を実施するための最良の形態】
【０００６】  本考案に係る変則的に回転するボールの材質は、ゴムやプラスチック、スポンジ等の多種多様のものを使用して製作することが可能ではあるが、ボールの内部は空洞にすることなく全体を均一の材質にして、猫の敏速な動きにも対応できるほどの衝撃にも強く、なおかつ良く跳ねる軽量の素材をもって制作することが望ましい。
【図面の簡単な説明】
【０００７】
【図１】  本考案に係る変則的に転がるボールの断面見取り図である。
【図２】  本考案に係る変則的に転がるボールが静止しているときの正面図である。
【符号の説明】
【０００８】１        重り
２        ボール
【図１】
0003230715.tif 000003
【図２】
0003230715.tif 000004
(57)【要約】      （修正有）【課題】不純物の除去率を高め、詰りなどの故障を回避できる水圧式局部洗浄機能付き便座用フィルター付き給水管を提供する。【解決手段】水圧式便座用給水管の給水管部分に加え、便座側とタンク側の二方向分岐部分の二箇所にフィルターを搭載し、水源に含まれる各種の不純物の除去率をより高め、詰りなどの故障を回避できるようにした。【選択図】図１
0003230716.tif 000002
【実用新案登録請求の範囲】
【請求項１】
電源不要の水圧のみで作動する局部洗浄機能付き便座に接続する給水管の管の部分と水圧式局部洗浄機能付き便座（以下、水圧式便座と記述）側と便器洗浄用貯水タンク（以下、タンクと記述）側の二方向分岐部分の二箇所に不純物除去用フィルター（以下、フィルターと記述）を搭載した水圧式局部洗浄機能付き便座用フィルター付き給水管。
【考案の詳細な説明】
【技術分野】
【０００１】  本考案は水圧式局部洗浄機能付き便座用フィルター付き給水管に関する。
【技術背景】
【０００２】  生活を豊かにする道具に水圧式局部洗浄機能付き便座があり、その主要部品の給水管に関して水圧のみで作動するという性質上、上水道から取水し給水管から便座側とタンク側の二方向に分岐するが構造簡易化とコスト削減の観点からフィルターの搭載は給水管部分の一箇所にのみであり、不純物の除去の観点からは最低限の機能の製品しか存在しない。
【考案が解決しようとする課題】
【０００３】  従来の水圧式便座用給水管は上水道設備が前提のためフィルターの搭載が給水管部分の一箇所にのみで最低限のフィルター機能である為、上水道設備がない状況や水源に不純物が多く含まれる場合は不純物除去が不十分であるため、詰まるなどの故障を起こし使用不可能という不具合が生じる。
【課題を解決するための手段】
【０００４】  水圧式便座用給水管の給水管部分に加え便座側とタンク側の二方向分岐部分の二箇所にフィルターを搭載し、水源に含まれる各種の不純物除去の効率をより高め、詰りなどの故障を回避できるようにしたもの。これにより上記の課題を解決する手段とする。
【考案の効果】
【０００５】  従来の水圧式便座用給水管は上水道設備が前提のためフィルターの搭載が給水管部分の一箇所にのみで最低限のフィルター機能のものしか存在せず、上水道設備がない状況や水源に不純物が多く含まれる場合は不純物除去が不十分であるため、上水道設備が整っていない地域や環境でも使用が可能であるとは言い難いものであった。
【考案を実施するための最良の形態】
【０００６】  水圧式便座用給水管の給水管部分に加え便座側とタンク側の二方向分岐部分の二箇所にフィルターを搭載し、水源に含まれる各種の不純物の除去率をより高め、詰りなどの故障を回避できるようにしたもの。
【図面の簡単な説明】
【０００７】
【図１】  全体図
【図１】
0003230716.tif 000003